(57)【要約】【課題】安定した脱臭効果を得ることが可能なバキューム車用脱臭器の提供。【解決手段】通気性を有する仕切体４により第１室２Ａと第２室２Ｂとに区画されたケーシング２であり、第１室２Ａが真空ポンプに通じ、第２室２Ｂが大気に通じるケーシング２と、脱臭液を吸収させた粒状の高分子吸収体３であり、ケーシング２の第２室２Ｂ内に充填される高分子吸収体３とを有し、真空ポンプからケーシングの第１室２Ａに排出された排気が、通気性を有する仕切体４を通じて第２室２Ｂに入り、第２室２Ｂ内の粒状の高分子吸収体３に吸収させた脱臭液と接触することにより脱臭され、第２室２Ｂから大気へと排出される。【選択図】図１
2020069442.tif 000002
【特許請求の範囲】
【請求項１】
バキューム車のバキュームタンク内の空気を吸引する真空ポンプから排出される排気を脱臭するバキューム車用脱臭器であって、
通気性を有する仕切体により第１室と第２室とに区画されたケーシングであり、前記第１室が前記真空ポンプに通じ、前記第２室が大気に通じるケーシングと、
脱臭液を吸収させた粒状の高分子吸収体であり、前記ケーシングの第２室内に充填される高分子吸収体と
を有するバキューム車用脱臭器。
【請求項２】
前記仕切体は、気体のみを透過する気体透過膜である請求項１記載のバキューム車用脱臭器。
【請求項３】
前記第１室から前記真空ポンプに通じる配管の途中に、大気に通じるバルブを有する請求項１または２に記載のバキューム車用脱臭器。
【請求項４】
前記バルブは前記真空ポンプを逆回転させて前記バキュームタンク内を加圧する際に自動的に開く電磁バルブである請求項３記載のバキューム車用脱臭器。
【請求項５】
前記脱臭液は、臭気成分と化学的結合することにより脱臭するものである請求項１から４のいずれか１項に記載のバキューム車用脱臭器。
【発明の詳細な説明】
【技術分野】
【０００１】
本発明は、汚水や汚物等を吸引回収するバキューム車の真空ポンプから排出される排気の脱臭を行うバキューム車用脱臭器に関する。
【背景技術】
【０００２】
バキューム車は、汚水や汚物等を貯留するバキュームタンクを備え、このバキュームタンク内の空気を真空ポンプで排出して減圧し、これによって生じる負圧によりホースを通じて汚水や汚物等をバキュームタンク内に吸引回収する。バキュームタンク内には汚水や汚物等が貯留されているため、真空ポンプから排出される空気はアンモニア等の臭気成分を多量に含んでおり、そのまま待機中に放出することは衛生上好ましくない。このため、バキューム車には、真空ポンプから排出される排気を脱臭するための脱臭器が備えられている。
【０００３】
例えば、特許文献１には、従来、バキューム車に装備される脱臭器として、上部に大気に通じる排出口を有する脱臭器本体の内部を、仕切板により脱臭室と貯液室とに上下２室に区画し、脱臭室にその中央部で上部に屈曲したＬ字形の真空ポンプに通じる流通管を貫通配置し、この流通管の適所に管径を小さくした絞り部を設け、この絞り部と貯液室とを細パイプを介して連通して構成されたものが開示されている。この脱臭器では、真空ポンプから排出された排気が流通管内に生じる負圧により、細パイプを介して貯液室内に貯溜された脱臭液が吸い上げられて流通管内に噴霧され、脱臭液により臭気成分が中和されて排気が脱臭される。
【先行技術文献】
【特許文献】
【０００４】
【特許文献１】特開２００３−５３１３０号公報（段落０００３，０００５、図２）
【発明の概要】
【発明が解決しようとする課題】
【０００５】
ところが、上記従来の脱臭器は、排気が流通管の絞り部を通過する際に生じる負圧により貯液室内の脱臭液を吸い上げて流通管内に噴霧するため、流通管を通過する排気の量により脱臭液の噴霧量が変化する。したがって、バキュームタンク内の真空度が上昇して流通管を通過する排気の量が減少すると、脱臭液の噴霧量が減少して、脱臭効果が低減するため、安定した脱臭効果が得られない。
【０００６】
そこで、本発明においては、安定した脱臭効果を得ることが可能なバキューム車用脱臭器を提供することを目的とする。
【課題を解決するための手段】
【０００７】
本発明のバキューム車用脱臭器は、バキューム車のバキュームタンク内の空気を吸引する真空ポンプから排出される排気を脱臭するバキューム車用脱臭器であって、通気性を有する仕切体により第１室と第２室とに区画されたケーシングであり、第１室が前記真空ポンプに通じ、第２室が大気に通じるケーシングと、脱臭液を吸収させた粒状の高分子吸収体であり、ケーシングの第２室内に充填される高分子吸収体とを有するものである。
【０００８】
本発明のバキューム車用脱臭器によれば、真空ポンプからケーシングの第１室に排出された排気が、通気性を有する仕切体を通じて第２室に入り、第２室内の粒状の高分子吸収体に吸収させた脱臭液と接触することにより脱臭され、第２室から大気へと排出される。
【０００９】
ここで、仕切体は、気体のみを透過する気体透過膜であることが望ましい。これにより、真空ポンプから排出される排気の熱により粒状の高分子吸収体が溶け、高分子吸収体に吸収させた脱臭液が漏出した場合であっても、この脱臭液は気体透過膜を透過することなく、第１室内に留まり、第２室側へ流れることがない。また、気体透過膜は気体以外を透過しないため、真空ポンプを逆回転させてバキュームタンク内を加圧する際に、高分子吸収体が真空ポンプ内へ逆流するのを防止することができる。
【００１０】
また、本発明のバキューム車用脱臭器は、第１室から真空ポンプに通じる配管の途中に、大気に通じるバルブを有することが望ましい。これにより、真空ポンプを逆回転させてバキュームタンク内を加圧する際に、第１室から真空ポンプに通じる配管の途中の大気に通じるバルブを開くと、ケーシング内の空気が真空ポンプにより吸引されることなく、大気が吸引されるので、ケーシング内が負圧となるのを防止することができる。
【００１１】
また、バルブは真空ポンプを逆回転させてバキュームタンク内を加圧する際に自動的に開く電磁バルブであることが望ましい。これにより、真空ポンプを逆回転させてバキュームタンク内を加圧する際に自動的に電子バルブが開き、ケーシング内が負圧となるのを防止することができる。
【発明の効果】
【００１２】
（１）通気性を有する仕切体により第１室と第２室とに区画されたケーシングであり、第１室が前記真空ポンプに通じ、第２室が大気に通じるケーシングと、脱臭液を吸収させた粒状の高分子吸収体であり、ケーシングの第２室内に充填される高分子吸収体とを有する構成により、真空ポンプから排出された排気がケーシングの第１室内を追加する際に、粒状の高分子吸収体に吸収させた脱臭液と接触することにより脱臭されるので、安定した脱臭効果を得ることが可能となる。
【００１３】
（２）仕切体が、気体のみを透過する気体透過膜であることにより、真空ポンプを逆回転させてバキュームタンク内を加圧する際に、高分子吸収体や脱臭液が真空ポンプ内へ逆流するのを防止することができ、真空ポンプを保護することが可能となる。
【００１４】
（３）第１室から真空ポンプに通じる配管の途中に、大気に通じるバルブを有することにより、真空ポンプを逆回転させてバキュームタンク内を加圧する際に、ケーシング内が負圧となるのを防止することができ、ケーシング内の高分子吸収体や脱臭液が真空ポンプにより吸引されるのを防止することができる。
【００１５】
（４）バルブが真空ポンプを逆回転させてバキュームタンク内を加圧する際に自動的に開く電磁バルブであることにより、真空ポンプを逆回転させてバキュームタンク内を加圧する際に自動的に電子バルブが開くので、バルブの開き忘れにより、ケーシング内が負圧となるのを防止することができる。
【図面の簡単な説明】
【００１６】
【図１】本発明の実施の形態におけるバキューム車用脱臭器の概略図である。
【図２】真空ポンプを逆回転させた際の空気の流れを示す説明図である。
【発明を実施するための形態】
【００１７】
図１は本発明の実施の形態におけるバキューム車用脱臭器の概略図である。
図１において、本発明の実施の形態におけるバキューム車用脱臭器１は、図示しないバキューム車のバキュームタンク内の空気を吸引する真空ポンプに接続されるケーシング２内に、脱臭液を吸着させた粒状の高分子吸収体３を充填したものである。
【００１８】
ケーシング２内は、通気性を有する仕切体４により下側の第１室２Ａと上側の第２室２Ｂとに区画されている。第１室２Ａには真空ポンプに通じる配管５が接続されている。第２室２Ｂは排気口６を通じて大気に開放されている。仕切体４は、配管５を通じてケーシング２内の第１室２Ａに流入した真空ポンプの排気が通過して第２室２Ｂに流入可能な通気性を有するものである。本実施形態においては、仕切体４として、液体を透過させず、気体のみを透過する気体透過膜を使用している。
【００１９】
高分子吸収体３は、高吸水性高分子、吸収性ポリマーや高吸水性樹脂とも称されるものであり、自重の数百倍から数千倍までの水を吸収保持可能な高い水分保持性能を有する。粒状の高分子吸収体３は、予め脱臭液を吸着させた状態でケーシング２内に充填される。脱臭液は、臭気成分と化学的結合することにより脱臭するものである。
【００２０】
配管５の途中には、大気に通じるバルブ７を備えている。バルブ７は真空ポンプによりバキュームタンク内の空気を吸引する際には閉じておき、真空ポンプを逆回転させてバキュームタンク内を加圧する際に開くものである。なお、バルブ７は、真空ポンプを逆回転させてバキュームタンク内を加圧する際に自動的に開く電磁バルブ、ワンウェイバルブや逆止弁等とすることもできる。
【００２１】
上記構成のバキューム車用脱臭器１では、真空ポンプによりバキューム車のバキュームタンク内の空気を吸引する際、図１に示すように真空ポンプから排出される排気がケーシング２の第１室２Ａに流入し、通気性を有する仕切体４を通じて第２室２Ｂへ流入する。第２室２Ｂ内に流入した排気は、粒状の高分子吸収体３の間を通過しながらこの高分子吸収体３に吸着させた脱臭液と接触することにより脱臭され、排気口６から大気中へ排出される。
【００２２】
一方、真空ポンプを逆回転させ、バキュームタンク内を加圧してバキュームタンク内の汚水や汚物等を排出する際には、バルブ７を開く。これにより、バルブ７を介して大気が真空ポンプにより吸引されるので、ケーシング２内が負圧となることが防止される。また、仕切体４が気体のみを透過する気体透過膜である場合、真空ポンプを逆回転させてバキュームタンク内を加圧する際に、高分子吸収体３は仕切体４を透過しないので、高分子吸収体３が真空ポンプ内へ逆流するのを防止することができる。
【００２３】
また、真空ポンプから排出される排気の熱により粒状の高分子吸収体３が溶け、高分子吸収体３に吸収させた脱臭液が漏出した場合であっても、この脱臭液は気体透過膜である高分子吸収体３を透過することがないため、第２室２Ｂ側へ流れることがない。
【産業上の利用可能性】
【００２４】
本発明のバキューム車用脱臭器は、汚水や汚物等を吸引回収するバキューム車の真空ポンプから排出される排気の脱臭を行う脱臭器として有用である。
【符号の説明】
【００２５】
１  バキューム車用脱臭器
２  ケーシング
２Ａ  第１室
２Ｂ  第２室
３  高分子吸収体
４  仕切体
５  配管
６  排気口
７  バルブ
【図１】
2020069442.tif 000003
【図２】
2020069442.tif 000004